(57)【要約】【課題】ホイップ式のアンテナを備えた携帯端末において薄型化が可能な携帯端末を提供する。【解決手段】ロッドアンテナ１０が挿通されるアンテナ軸受部２１と、  アンテナ軸受部２１の外周部に設けられ、筐体３０にネジ止めされる取付板２３と、を有するロッドアンテナの取付具２０である。アンテナ軸受部２１を筐体３０に取り付けるための雄ネジをアンテナ軸受部２１の外周部に形成する必要が無く、アンテナ軸受部２１の外径を小さくすることができ、携帯端末１の筐体３０を薄型化することができる。【選択図】図６
2008054105.tif 000002
【特許請求の範囲】
【請求項１】
アンテナと、
内部にアンテナが収納される筐体と、
ロッドアンテナを筐体に取り付ける取付具とを備え、
前記取付具は、アンテナが挿通されるアンテナ軸受部と、
アンテナ軸受部の外周部に設けられ、筐体にネジ止めされる取付板とを有することを特徴とする携帯端末。
【請求項２】
前記取付具には係合突起がさらに設けられ、
筐体には係合突起が係合される係合孔が設けられていることを特徴とする請求項１に記載の携帯端末。
【発明の詳細な説明】
【技術分野】
【０００１】
本発明は、ホイップ式のアンテナを備えた携帯端末に関する。
【背景技術】
【０００２】
従来、携帯電話等の携帯端末で使用されていたホイップ式のアンテナは、アンテナを携帯端末の筐体内に収納可能とするために、アンテナ軸受により軸方向にスライド可能に保持されていた。アンテナ軸受は、例えば特許文献１に示すように、外周部に雄ネジが切られ、携帯電話の筐体に切られた雌ネジに螺合させることで携帯電話に固定されていた。
【特許文献１】特開２００３−３２０２１号公報
【発明の開示】
【発明が解決しようとする課題】
【０００３】
しかし、従来の固定構造では、アンテナ軸受の外周部に雄ネジを切るためにアンテナ軸受が太くなり、また、携帯端末の筐体にアンテナ軸受よりもひと回り大きい雌ネジを切るために、携帯端末の筐体に厚さが必要となり、携帯端末を充分に薄型化することができなかった。
【０００４】
本発明の課題は、ホイップ式のアンテナを備えた携帯端末において薄型化が可能な携帯端末を提供することである。
【課題を解決するための手段】
【０００５】
以上の課題を解決するため、請求項１に記載の発明は、アンテナと、内部にアンテナが収納される筐体と、ロッドアンテナを筐体に取り付ける取付具とを備え、前記取付具は、アンテナが挿通されるアンテナ軸受部と、アンテナ軸受部の外周部に設けられ、筐体にネジ止めされる取付板とを有することを特徴とする携帯端末である。
【０００６】
請求項２に記載の発明は、請求項１に記載の携帯端末であって、前記取付具には係合突起がさらに設けられ、筐体には係合突起が係合される係合孔が設けられていることを特徴とする。
【発明の効果】
【０００７】
本発明によれば、取付板でアンテナ軸受部を筐体にネジ止めするので、アンテナ軸受部を筐体に取り付けるための雄ネジをアンテナ軸受部の外周部に形成する必要が無く、アンテナ軸受部の外径を小さくすることができ、携帯端末の筐体を薄型化することができる。
【発明を実施するための最良の形態】
【０００８】
以下、本発明の実施形態について説明する。
図１，図２は本発明に係る携帯端末１の背面図であり、図１はロッドアンテナ１０を引き出した状態、図２はロッドアンテナ１０を収納した状態である。本実施形態の携帯端末１はワンセグ受信機能を備えた折り畳み式の携帯電話機であり、前面に図示しない操作部が設けられた本体２と、前面に図示しない表示部が設けられた蓋体３とからなる。
図１，図２において本体２の左側部には、ロッドアンテナ１０が収納される。このロッドアンテナ１０は地上デジタル放送用の帯域に対応している。
【０００９】
このロッドアンテナ１０は２段ホイップ構造になっており、２段階に伸縮可能である。また、ロッドアンテナ１０にはヒンジ１１が設けられており、ロッドアンテナ１０を下端部に対して折り曲げ可能とされている。
【００１０】
図３は図２のIII−III矢視断面図であり、図４は図２のIV−IV矢視断面図であり、図５は本体２の分解斜視図である。本体２の筐体３０にアンテナホルダー２０（取付具）が取り付けられ、その取り付け部は筐体３０と嵌合するカバー４により被覆される。
【００１１】
ロッドアンテナ１０は、アンテナホルダー２０に挿通され、アンテナホルダー２０に対して軸方向にスライド可能に、かつ径方向に回転可能に設けられている。ロッドアンテナ１０の下端部１２は接点となっており、ロッドアンテナ１０を引き出した状態でアンテナホルダー２０と導通する。
ロッドアンテナ１０は、アンテナホルダー２０が筐体３０に取り付けられることで携帯端末１の本体２に固定される。
【００１２】
アンテナホルダー２０には、アンテナ軸受部２１と、アンテナ軸受部２１の外側方向に突設された係合突起２２と、アンテナ軸受部２１に対して係合突起２２と反対の外側方向に突設された取付板２３とからなる。
【００１３】
アンテナ軸受部２１は筒状であり、内部にロッドアンテナ１０が挿通され、ロッドアンテナ１０を軸方向にスライド可能に、かつ径方向に回転可能に保持する滑り軸受である。
係合突起２２は、筐体３０の係合孔３３に挿入され係合する。
取付板２３にはロッドアンテナ１０の軸方向とねじれの位置となる方向に貫通孔２４が設けられている。貫通孔２４にはロッドアンテナ１０の軸方向とねじれの位置となるようにネジ５が挿通される。
【００１４】
次に、アンテナホルダー２０の筐体３０への取付部分について詳細に説明する。
図６は本体２の筐体３０へのアンテナホルダー２０の取付部分を示す分解斜視図である。筐体３０には、内部にロッドアンテナ１０が収納される収納筒３１が埋め込まれている。筐体３０の収納筒３１にロッドアンテナ１０を挿入する入口近傍には、アンテナホルダー２０のアンテナ軸受部２１及びロッドアンテナ１０が配置される溝部３２と、取付板２３が配置される凹部３６とが設けられている。
【００１５】
溝部３２には、係合孔３３と、端子孔３４とが設けられている。
係合孔３３には、図４に示すように、アンテナホルダー２０の係合突起２２が挿入される。
【００１６】
端子孔３４からは筐体３０内の基板に設けられた給電用のピン端子３５が突出しており、ピン端子３５が溝部３２に配置されたアンテナ軸受部２１と当接することで、ロッドアンテナ１０の給電が行われる。
【００１７】
凹部３６は取付板２３と同じ大きさの矩形状であり、凹部３６には筐体３０を貫通する貫通孔３７が設けられている。また、筐体３０の内側の凹部３６に対応する位置には、板ナット３８が配置される。板ナット３８には、ネジ孔３９が設けられている。
【００１８】
以下、ロッドアンテナ１０を筐体３０に取り付ける手順について説明する。
まず、アンテナホルダー２０の係合突起２２が係合孔３３に挿入されるようにアンテナ軸受部２１を溝部３２に配置する。これにより、アンテナホルダー２０の筐体３０に対する位置が定まり、凹部３６に取付板２３が配置される。
【００１９】
次に、ネジ５を取付板２３の貫通孔２４及び凹部３６の貫通孔３７に挿通させ、板ナット３８のネジ孔３９に螺合させる。その後、ロッドアンテナ１０をアンテナ軸受部２１に対してスライドさせ、収納筒３１内に収納する。
以上により、ロッドアンテナ１０が筐体３０に取り付けられる。
【００２０】
このように、本実施形態によれば、アンテナホルダー２０の取付板２３を筐体３０の外側に配置し、筐体３０の内側に板ナット３８を配置し、筐体３０の外側から取付板２３の貫通孔２４、筐体３０の貫通孔３７にネジ５を挿通させて板ナット３８に螺合させることでアンテナホルダー２０を筐体３０に固定するため、アンテナホルダー２０の外周部に雄ネジを切る必要が無く、アンテナホルダー２０の外径を小さくすることができる。
また、携帯端末１の筐体３０にアンテナホルダー２０よりも径が大きい雌ネジを切らずにすみ、携帯端末１の筐体３０を薄くすることができる。
【００２１】
また、係合突起２２を係合孔３３に挿入することで筐体３０に対するアンテナホルダー２０の位置が定まるため、取付板２３の筐体３０へのネジ止め作業を容易に行うことができる。
【００２２】
なお、以上の実施形態においては、ネジ５を取付板２３の貫通孔２４、筐体３０の貫通孔３７に挿通させて板ナット３８に螺合させていたが、貫通孔３７に雌ネジを設け、筐体３０に直接ネジ５を螺合させてもよい。
また、ホイップ式のアンテナとして、ロッドアンテナを例示したが、通常の棒状アンテナでも良い。また、アンテナを地上デジタル放送用としたが、アンテナは通信用のものであってもよい。つまり、本発明の携帯端末は、放送波受信用或いは通信用のアンテナとして、筐体に出没可能なホイップ式のアンテナを備えた携帯用の電子機器であればよく、例示したワンセグ受信機能を備えた携帯電話に限定されるものではない。
【図面の簡単な説明】
【００２３】
【図１】ロッドアンテナ１０を引き出した状態の携帯端末１の背面図である。
【図２】ロッドアンテナ１０を収納した状態の携帯端末１の背面図である。
【図３】図２のIII−III矢視断面図である。
【図４】図２のIV−IV矢視断面図である。
【図５】本体２の分解斜視図である。
【図６】本体２の筐体３０へのアンテナホルダー２０の取付部分を示す分解斜視図である。
【符号の説明】
【００２４】
１  携帯端末
５  ネジ
１０  ロッドアンテナ（アンテナ）
２０  アンテナホルダー（取付具）
２１  アンテナ軸受部
２２  係合突起
２３  取付板
３０  筐体
【図１】
2008054105.tif 000003
【図２】
2008054105.tif 000004
【図３】
2008054105.tif 000005
【図４】
2008054105.tif 000006
【図５】
2008054105.tif 000007
【図６】
2008054105.tif 000008